【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
外部熱源及び外部ヒートシンクと共に動作する熱機械であって、前記熱機械が、
−共通の第１の取付具に備えられ、第１の複数のシリンダー内に形成された対向する第１の複数の穴に作用する第１の一対のディスプレーサと、
−第１の一対のディスプレーサの間の体積を取り囲む第１のケーシングと、
−共通の第２の取付具に備えられ、第２の複数のシリンダー内に形成された対向する第２の複数の穴に作用する第２の一対のディスプレーサと、
−第２の一対のディスプレーサの間の体積を取り囲む第２のケーシングと、
−第１及び第２の取付具を相互接続する機構であって、第１及び第２の対のディスプレーサの間の位相角を維持するように構成された機構と、
−複数のディスプレーサの取付具から離れた側の複数のシリンダー内の空間により規定される複数の作動流体室と、を有し、
前記複数のケーシング内及び前記複数の作動流体室内の圧力を監視して比較する為の手段が備えられ、そして、前記比較の結果によって、ケーシング及び作動流体の圧力の１つ又は両方を調節する為の手段が備えられることを特徴とする熱機械。
【請求項２】
圧力を調節する手段が、ケーシング内の圧力がケーシングのシリンダーの室内の監視された圧力に対して規定の範囲内に入るように、必要に応じてケーシング内に流体を駆動するか、ケーシングから流体を引き出すように構成されていることを特徴とする請求項１に記載の熱機械。
【請求項３】
圧力を調節する手段が、ケーシング内の圧力を作用空間内の圧力以下の値又はわずかに低い値に維持するように構成されていることを特徴とする請求項２に記載の熱機械。
【請求項４】
第１及び第２のケーシングが単一のケーシングに一体化されていることを特徴とする請求項３に記載の熱機械。
【請求項５】
熱機械がさらに、
−共通の第３の取付具に備えられ、第３の複数のシリンダー内に形成された対向する第３の複数の穴に作用する第３の一対のディスプレーサと、
−第３の一対のディスプレーサの間の体積を取り囲む第３のケーシングと、
−共通の第４の取付具に備えられ、第４の複数のシリンダー内に形成された対向する第４の複数の穴に作用する第４の一対のディスプレーサと、
−第４の一対のディスプレーサの間の体積を取り囲む第４のケーシングと、
−第３及び第４の取付具を相互接続する機構であって、第３及び第４の対のディスプレーサの間の位相角を維持するように構成された機構と、
−第３及び第４の対のディスプレーサと結合する機構であって、第１及び第２の対のディスプレーサに対して第３及び第４の対のディスプレーサの位相角を維持するように構成された機構と、
−第３及び第４のディスプレーサの取付具から離れた側の複数のシリンダー内の空間により規定される複数の作動流体室と、を有し、
前記複数のケーシング内及び前記複数の作動流体室内の圧力を監視して比較する為の手段が備えられ、そして、前記比較の結果によって、ケーシング及び作動流体の圧力の１つ又は両方を調節する為の手段が備えられることを特徴とする請求項１〜４のいずれか１つに記載の熱機械。
【請求項６】
第１及び第３のケーシングが共通のケーシングに一体化されており、そして、第２及び第４のケーシングが更なる共通のケーシングに一体化されており、そして、共通の第１及び第３のケーシング内の圧力と共通の第２及び第４のケーシング内の圧力を実質的に同じに維持する為の手段が備えられていることを特徴とする請求項５に記載の熱機械。
【請求項７】
共通の第１及び第３のケーシングと共通の第２及び第４のケーシングが単一のケーシングに一体化されており、そして、第１の機構が第１及び第３の対のディスプレーサと結合し、そして、第２の機構が第２及び第４の対のディスプレーサと結合し、第１及び第２の機構が同期動作の為に連結されていることを特徴とする請求項６に記載の熱機械。
【請求項８】
第１及び第２の機構の相対位相を調節することにより、第１及び第３の対のディスプレーサと第２及び第４の対のディスプレーサの間の位相角を調節する為の手段が備えられていることを特徴とする請求項７に記載の熱機械。
【請求項９】
第１及び第２の対のディスプレーサと結合する機構が回転出力軸を含み、そして、第３及び第４の対のディスプレーサと結合する機構も回転出力軸を含み、そして、第１及び第２の対のディスプレーサの位相を第３及び第４の対のディスプレーサに対して調節する為の手段が備えられていることを特徴とする請求項１〜８のいずれか１つに記載の熱機械。
【請求項１０】
複数の機構の複数の出力軸が実質的に同軸であり、複数の出力軸の対向する端部が反対のねじ山を付けられ、そして、調節要素が、前記ねじ山に係合し、出力軸に対して軸方向の運動の為に配置され、それにより、複数の出力軸の間の相対角度の調節を達成することを特徴とする請求項９に記載の熱機械。
【請求項１１】
当該機構又はそれぞれの機構が、ディスプレーサの運動を実質的に正弦曲線になるように制御するように構成されていることを特徴とする請求項１〜１０のいずれか１つに記載の熱機械。
【請求項１２】
当該機構又はそれぞれの機構が偏心駆動装置を有し、偏心駆動装置が、ディスプレーサの取付具に連結する外面を有する偏心部材と、偏心部材の外面に対して偏心して配置されている歯車と、偏心部材の歯車とかみ合う歯車を有する出力軸と、を有し、そして、第１及び第３の対のディスプレーサが実質的に互いに対して９０度に配置され、第２及び第４の対のディスプレーサが実質的に互いに対して９０度に配置され、そして、第１及び第３の対のディスプレーサ並びに第２及び第４の対のディスプレーサにおいて、それぞれの偏心駆動機構が互いに対して１８０度に接続された２つの偏心部材を有し、一方の偏心部材が一方の対のディスプレーサの取付具に連結する外面を有し、他方の偏心部材が他方の対のディスプレーサの取付具に連結する外面を有することを特徴とする請求項５に記載の熱機械。
【請求項１３】
実質的にスターリングサイクルで動作する外燃機関として構成されることを特徴とする請求項１〜１２のいずれか１つに記載の熱機械。
【請求項１４】
高温及び低温の対のディスプレーサを有するスターリング機関として構成される熱機械であって、
−ディスプレーサの運動を制御する機構であって、ディスプレーサの基本的に正弦曲線の運動を引き起こし、それにより、機構のケーシング内の体積を一定に維持する機構と、
−高温の対のディスプレーサ及び低温の対のディスプレーサのそれぞれの為の２つの機構の位相を調節することにより、高温及び低温の対のディスプレーサの相対位相を調節する手段と、そして、
−複数のディスプレーサの機構から離れた側の作動流体内の圧力、及び機構のケーシング内の圧力を監視して制御する手段と、
を有することを特徴とする請求項５に記載の熱機械。
【請求項１５】
外部熱源及び外部ヒートシンクを有する熱機械を運転する方法であって、前記熱機械が、
−共通の第１の取付具に備えられ、第１の複数のシリンダー内に形成された対向する第１の複数の穴に作用する第１の一対のディスプレーサと、
−第１の一対のディスプレーサの間の体積を取り囲む第１のケーシングと、
−共通の第２の取付具に備えられ、第２の複数のシリンダー内に形成された対向する第２の複数の穴に作用する第２の一対のディスプレーサと、
−第２の一対のディスプレーサの間の体積を取り囲む第２のケーシングと、
−第１及び第２の取付具を相互接続する機構であって、第１及び第２の対のディスプレーサの間の位相角を維持するように構成された機構と、
−複数のディスプレーサの取付具から離れた側の複数のシリンダー内の空間により規定される複数の作動流体室と、を有し、
前記方法において、外部熱源からの熱が第１の一対のディスプレーサに隣接する複数の作動流体室内の作動流体に供給され、第２の一対のディスプレーサに隣接する複数の作動流体室内の作動流体からの熱が外部ヒートシンクに放出され、前記複数のケーシング内及び前記複数の作動流体室内の圧力が監視されて比較され、そして、前記比較の結果によって、複数のケーシング及び複数の作動流体室の１つ又は両方の中の流体の圧力が調節され、ケーシング内の圧力が作動流体室内の監視された最低圧力よりも下になるように維持されることを特徴とする方法。